(57)【要約】【課題】本発明は、メモリ搭載量を抑制しつつ高画質の画像処理を行う複合装置、プリンタ装置等の画像処理装置及び画像処理方法に関する。【解決手段】複合装置１は、アプリケーション１１のプリンタアプリまたはコピーアプリから制御モジュール１２のメモリ管理モジュール２１に該アプリモードへの移行要求があると、メモリ管理モジュール２１が、メモリ１３の１つのアプリ共通メモリ領域の利用状況を判定して、該判定結果に基づいて、該アプリ共通メモリ領域を該アプリに切り替えて割り当てる制御を行う。このメモリ１３のアプリ共通メモリ領域を利用して各アプリが画像データの保存に利用して、プリンタモードとコピーモードの実行を行う。したがって、メモリ１３の搭載容量を増加させることなく、安価に高画質化することができる。【選択図】          図１
2009038771.tif 000002
【特許請求の範囲】
【請求項１】
複数の画像処理機能を有し、該画像処理機能用の画像データをメモリ上に保存して該各画像処理機能を実行する画像処理装置において、前記複数の画像処理機能用の画像データを保存するメモリ領域として、前記メモリ上の同じメモリ領域を切り替えて該各画像処理機能に割り当てるメモリ管理手段を備えていることを特徴とする画像処理装置。
【請求項２】
前記各画像処理機能は、その機能実行に際して、前記メモリ管理手段に前記メモリ領域の利用要求を発行し、該メモリ管理手段は、該メモリ領域の利用要求があると、該メモリ領域の利用状況を判定し、該利用状況の判定結果に基づいて該利用要求に応じた該メモリ領域の該画像処理機能による利用への切り替えの可否を制御することを特徴とする請求項１記載の画像処理装置。
【請求項３】
前記メモリ管理手段は、前記複数の画像処理機能のうちの１つの画像処理機能から前記メモリ領域の利用要求があると、該メモリ領域を他の画像処理機能に割り当てており、かつ、該メモリ領域に該他の画像処理機能用の画像データが格納されているか否かを判定し、該メモリ領域に他の画像処理機能が割り当てられていて該他の画像処理機能用の画像データが格納されていると、該利用要求を拒否することを特徴とする請求項１記載の画像処理装置。
【請求項４】
前記画像処理装置は、前記画像処理機能として、プリンタ機能とコピー機能を有し、前記メモリ管理手段は、該プリンタ機能と該コピー機能に対して前記メモリ領域を切り替えて割り当てることを特徴とする請求項１から請求項３のいずれかに記載の画像処理装置。
【請求項５】
複数の画像処理機能の各画像処理機能を、該画像処理機能用の画像データをメモリ上に保存して実行する画像処理方法において、前記複数の画像処理機能用の画像データを保存するメモリ領域として、前記メモリ上の同じメモリ領域を切り替えて該各画像処理機能に割り当てるメモリ管理処理を実行することを特徴とする画像処理方法。
【発明の詳細な説明】
【技術分野】
【０００１】
本発明は、画像処理装置及び画像処理方法に関し、詳細には、メモリ搭載量を抑制しつつ高画質の画像処理を行う複合装置、プリンタ装置等の画像処理装置及び画像処理方法に関する。
【背景技術】
【０００２】
近年、コンピュータ、プリンタ、複写装置、複合装置等の画像処理装置においては、デジタル化が進むとともに画像メモリを利用した画像の加工、編集が行われるようになってきており、画像メモリへの画像データの保管と該画像メモリからの画像データの読み出しを頻繁に行うようになってきている。
【０００３】
また、コピー機能とプリンタ機能の両方を備えているＭＦＰ（複合装置）においては、コピー機能において画像処理を行うためにコピー用に大容量のメモリが必要であるだけでなく、プリンタ機能において画像処理を行うためにプリンタ用にも大容量のメモリが必要となり、ＭＦＰにおいては、その搭載メモリ量が数ギガバイトにまで増えてきている。
【０００４】
そして、従来からメモリを効率的に利用するために、１ページ分の画像データを画像メモリに展開する場合に、該１ページを複数の短冊状領域（バンド）に区切って処理することが行われている。
【０００５】
このようなバンドを用いた画像メモリへの画像データの保管と取り出しにおいては、画像データを保管する場合に該画像データを圧縮して保管することで、メモリの有効利用を図っている。すなわち、この場合、バンドのオープンでバンドメモリを確保して、バンドのクローズで画像データを圧縮を行いるが、このようにすると、一度クローズしたバンドを再オープンするときには、必ず、画像データの伸張処理が発生し、このオーバーヘッドが画像処理の処理速度の高速化の妨げとなる。
【０００６】
そこで、従来、メモリ上の画像データを圧縮するタイミングをメモリの空き容量から制御することで、バンドの再オープンとクローズが頻繁に行われる場合の画像の圧縮と伸張によるオーバーヘッドを減らして、処理速度の向上を図った技術が提案されている（特許文献１参照）。
【０００７】
【特許文献１】特開２００４−２７２８１７号公報
【発明の開示】
【発明が解決しようとする課題】
【０００８】
しかしながら、上記従来技術にあっては、メモリの空きのあるときに画像データを圧縮せずにバンドに格納することで、処理効率を向上させようとしているが、複数の画像処理機能を有している場合に、各画像処理機能毎に専用のメモリ領域を設けている。例えば、コピー機能とプリンタ機能を備えている場合、コピー機能とプリンタ機能とにメモリ領域を分けて、それぞれにおいて、画像データをバンドに格納している。
【０００９】
すなわち、従来、コピー機能とプリンタ機能を備えている場合、画像メモリのメモリ領域を、図６に示すように、コピー機能専用のページメモリ領域と、プリンタ機能専用のバンドメモリであるプリンタ画像描画領域及びプリンタ画像圧縮符号領域とに区分しており、上記公報記載の従来技術では、この記憶領域をバンド格納する場合にメモリの空き領域に基づいて圧縮、非圧縮の状態で格納している。
【００１０】
このように、画像メモリをコピー機能専用とプリンタ機能専用に区分しているため、上記公報記載の従来技術にあっては、メモリの有効利用に限界があり、近年、コピー、プリンタのいずれにおいても高画質化が求められているなかで、１ページの画像データのデータサイズが大きくなってきており、１ページの画像データサイズが大きくなると、コピー機能とプリンタ機能のいずれにおいても１バンドの使用メモリ量が増加するが、バンドをさらに細かく刻むと、描画においても印刷においてもオーバーヘッドが増加し、全体的な処理速度が低下する。
【００１１】
その結果、従来技術にあっては、高効率で高画質化を図るためには、なお、メモリを増加する必要があり、メモリを増加させると、コストが高くなり、低価格の画像処理装置においては、メモリの削減が要求される。
【００１２】
そこで、本発明は、メモリ搭載容量を増加させることなく、安価に高画質化することのできる画像処理装置及び画像処理方法を提供することを目的としている。
【課題を解決するための手段】
【００１３】
請求項１記載の発明の画像処理装置は、複数の画像処理機能を有し、該画像処理機能用の画像データをメモリ上に保存して該各画像処理機能を実行する画像処理装置において、前記複数の画像処理機能用の画像データを保存するメモリ領域として、前記メモリ上の同じメモリ領域を切り替えて該各画像処理機能に割り当てるメモリ管理手段を備えていることにより、上記目的を達成している。
【００１４】
請求項１の場合、例えば、請求項２に記載するように、前記各画像処理機能は、その機能実行に際して、前記メモリ管理手段に前記メモリ領域の利用要求を発行し、該メモリ管理手段は、該メモリ領域の利用要求があると、該メモリ領域の利用状況を判定し、該利用状況の判定結果に基づいて該利用要求に応じた該メモリ領域の該画像処理機能による利用への切り替えの可否を制御してもよい。
【００１５】
また、請求項１の場合、例えば、請求項３に記載するように、前記メモリ管理手段は、前記複数の画像処理機能のうちの１つの画像処理機能から前記メモリ領域の利用要求があると、該メモリ領域を他の画像処理機能に割り当てており、かつ、該メモリ領域に該他の画像処理機能用の画像データが格納されているか否かを判定し、該メモリ領域に他の画像処理機能が割り当てられていて該他の画像処理機能用の画像データが格納されていると、該利用要求を拒否してもよい。
【００１６】
さらに、請求項１から請求項３の場合、例えば、請求項４に記載するように、前記画像処理装置は、前記画像処理機能として、プリンタ機能とコピー機能を有し、前記メモリ管理手段は、該プリンタ機能と該コピー機能に対して前記メモリ領域を切り替えて割り当ててもよい。
【００１７】
請求項５記載の発明の画像処理方法は、複数の画像処理機能の各画像処理機能を、該画像処理機能用の画像データをメモリ上に保存して実行する画像処理方法において、前記複数の画像処理機能用の画像データを保存するメモリ領域として、前記メモリ上の同じメモリ領域を切り替えて該各画像処理機能に割り当てるメモリ管理処理を実行することにより、上記目的を達成している。
【発明の効果】
【００１８】
本発明によれば、複数の画像処理機能を、該画像処理機能用の画像データをメモリ上に保存して実行する際に、該複数の画像処理機能用の画像データを保存するメモリ領域として、該メモリ上の同じメモリ領域を切り替えて該各画像処理機能に割り当てるので、メモリの搭載容量を増加させることなく、安価に高画質化することができる。
【発明を実施するための最良の形態】
【００１９】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２０】
図１〜図５は、本発明の画像処理装置及び画像処理方法の一実施例を示す図であり、図１は、本発明の画像処理装置及び画像処理方法の一実施例を適用した複合装置１の要部機能ブロック構成図である。
【００２１】
図１において、複合装置１は、コントローラ２とエンジン３がエンジンＩ／Ｆ４を介して接続されているとともに、図示しないが、複合装置１として必要な各部、例えば、オペレーションパネル、ＦＡＸ機能部等を備えており、コンピュータ等のホスト装置にネットワークを介して接続され、また、ファクシミリ通信用の電話回線等に接続されている。
【００２２】
コントローラ２は、アプリケーション１１、制御モジュール１２及びメモリ１３等を備えており、複合装置１全体を制御して、複合装置１としての処理を実行する。
【００２３】
アプリケーション１１は、プリンタサービス（プリンタ機能）を実現するためのアプリケーションプログラムであるプリンタアプリ、コピーサービス（コピー機能）を実現するアプリケーションプログラムであるコピーアプリ、スキャナサービス（スキャナ機能）を実現するためのアプリケーションプログラムであるスキャナアプリ、ファックスサービス（ファックス機能）を実現するためのアプリケーションプログラムであるファックスアプリ等を実装している。
【００２４】
制御モジュール１２は、メモリ管理モジュール２１とエンジン制御モジュール２２等を備えており、メモリ管理モジュール２１は、アプリケーション１１の各アプリケーションに応じて、メモリ１３の管理を行う。すなわち、メモリ管理モジュール２１は、メモリ管理処理を実行するメモリ管理手段として機能する。
【００２５】
エンジン制御モジュール２２は、駆動されるアプリケーション１１に応じてエンジン３の駆動を制御して、プリンタ機能、コピー機能、スキャナ機能、ファクシミリ機能等の各機能処理を実行する。
【００２６】
エンジン３は、スキャナエンジン３１、プリンタエンジン３２、ＦＡＸエンジン（図示略）等を備えており、制御モジュール１２のエンジン制御モジュール２２の制御下で、駆動制御される。
【００２７】
スキャナエンジン３１は、エンジン制御モジュール２２の制御下で、原稿を主走査及び副走査して、該原稿の画像を読み取って、デジタルの画像データを出力する。
【００２８】
プリンタエンジン３２は、スキャナエンジン３１で読み取られた画像、ホスト装置から受け取ったデータ、ＦＡＸエンジンで受信したファクシミリ画像等の画像を所定の印刷方式、例えば、電子写真方式で用紙に印刷出力する。
【００２９】
メモリ１３は、所定のメモリ容量のＲＡＭ（Random Access Memory）等で構成され、図２に示すように、ファイルシステムとして各アプリ（アプリケーション）で共通に使用するメモリ領域（以下、アプリ共通メモリ領域という。）１３ａが構築されている。
【００３０】
上記メモリ管理モジュール２１は、メモリ１３の管理、特に、アプリ共通メモリ領域１３ａの各アプリでの利用の管理を行う。
【００３１】
次に、本実施例の作用を説明する。本実施例の複合装置１は、メモリ管理モジュール２１の管理下で、メモリ１３のアプリ共通メモリ領域１３ａを各アプリで切り替えて利用している。例えば、コピーアプリモード（以下、コピーモードという。）とプリンタアプリモード（以下、プリンタモードという。）で切り替えてメモリ１３のアプリ共通メモリ領域１３ａを利用する場合、メモリ管理モジュール２１は、図３に示すように、メモリ利用モード切り替え処理を行って、メモリ１３のアプリ共通メモリ領域１３ａのアプリモードによる利用切り替えを行っている。
【００３２】
すなわち、メモリ管理モジュール２１は、複合装置１の電源オン時等の初期化処理として、アプリモードを未使用状態に設定し（ステップＳ１０１）、アプリケーション１１のプリンタアプリまたはコピーアプリから各アプリのモードへのモード移行要求があるかチェックする（ステップＳ１０２）。
【００３３】
ステップＳ１０２で、アプリケーション１１からモード移行要求を受け取ると、メモリ管理モジュール２１は、該モード移行要求がコピーアプリからのコピーモードへの移行要求であるかチェックし（ステップＳ１０３）、コピーモードへの移行要求であると、現在のメモリ１３のアプリ共通メモリ領域１３ａの利用モードが未使用モードであるかチェックする（ステップＳ１０４）。
【００３４】
ステップＳ１０４で、アプリ共通メモリ領域１３ａの利用モードが未使用モードであると、メモリ管理モジュール２１は、アプリ共通メモリ領域１３ａの利用モードをコピーモードとして登録して（ステップＳ１０５）、要求受諾の応答をアプリケーション１１、すなわち、コピーアプリに返し（ステップＳ１０６）、ステップＳ１０２に戻る。
【００３５】
そして、制御モジュール１２が、コピーアプリに基づいて、このコピーモードに割り当てられたアプリ共通メモリ領域１３ａのページメモリにスキャナエンジン３１で読み取られた画像データを順次格納して、該格納した画像データを順次プリンタエンジン３２に送って、プリンタエンジン３２で該画像を用紙に印刷出力するコピー機能を実行する。
【００３６】
ステップＳ１０４で、アプリ共通メモリ領域１３ａの利用モードが未使用でないときには、メモリ管理モジュール２１は、現在の利用モードがコピーモードであるかチェックし（ステップＳ１０７）、コピーモードのときには、要求受諾の応答をアプリケーション１１、すなわち、コピーアプリに返し（ステップＳ１０６）、ステップＳ１０２に戻る。そして、制御モジュール１２がコピーアプリに基づいて、上述のようにコピー機能を実行する。
【００３７】
ステップＳ１０７で、現在の利用モードがコピーモードでないときには、メモリ管理モジュール２１は、メモリ１３のアプリ共通メモリ領域１３ａに画像データが格納されているかチェックし（ステップＳ１０８）、メモリ１３のアプリ共通メモリ領域１３ａに画像データが格納されていないときには、アプリ共通メモリ領域１３ａの利用モードをコピーモードとして登録して（ステップＳ１０５）、要求受諾の応答をアプリケーション１１、すなわち、コピーアプリに返し（ステップＳ１０６）、ステップＳ１０２に戻る。そして、制御モジュール１２がコピーアプリに基づいて、上述のようにコピー機能を実行する。
【００３８】
ステップＳ１０８で、メモリ１３のアプリ共通メモリ領域１３ａにプリンタモード用の画像データが格納されているときには、メモリ管理モジュール２１は、コピーモードへの移行要求を却下する応答をアプリケーション１１に返し（ステップＳ１０９）、ステップＳ１０２に戻る。
【００３９】
ステップＳ１０３で、コピーモード移行要求でないときには、メモリ管理モジュール２１は、プリンタモード移行要求であると判断して、アプリ共通メモリ領域１３ａの利用モードが未使用であるかチェックする（ステップＳ１１０）。
【００４０】
ステップＳ１１０で、利用モードが未使用であると、メモリ管理モジュール２１は、アプリ共通メモリ領域１３ａの利用モードをプリンタモードとして登録して（ステップＳ１１１）、要求受諾の応答をアプリケーション１１、すなわち、プリンタアプリに返し（ステップＳ１１２）、ステップＳ１０２に戻る。
【００４１】
そして、制御モジュール１２が、プリンタアプリに基づいて、このプリンタモードに割り当てられたアプリ共通メモリ領域１３ａのバンドメモリにホスト装置から送られてきた画像データを順次格納して、該格納した画像データを順次プリンタエンジン３２に送って、プリンタエンジン３２で該画像を用紙に印刷出力するプリンタ機能を実行する。
【００４２】
ステップＳ１１０で、アプリ共通メモリ領域１３ａの利用モードが未使用でないときには、メモリ管理モジュール２１は、現在の利用モードがプリンタモードであるかチェックし（ステップＳ１１３）、プリンタモードのときには、要求受諾の応答をアプリケーション１１、すなわち、プリンタアプリに返し（ステップＳ１１２）、ステップＳ１０２に戻る。そして、制御モジュール１２がプリンタアプリに基づいて、上述のようにプリンタ機能を実行する。
【００４３】
ステップＳ１１３で、現在の利用モードがプリンタモードでないときには、メモリ管理モジュール２１は、メモリ１３のアプリ共通メモリ領域１３ａに画像データが格納されているかチェックし（ステップＳ１１４）、メモリ１３のアプリ共通メモリ領域１３ａに画像データが格納されていないときには、アプリ共通メモリ領域１３ａの利用モードをプリンタモードとして登録して（ステップＳ１１１）、要求受諾の応答をアプリケーション１１、すなわち、プリンタアプリに返し（ステップＳ１１２）、ステップＳ１０２に戻る。そして、制御モジュール１２がプリンタアプリに基づいて、上述のようにプリンタ機能を実行する。
【００４４】
ステップＳ１１４で、メモリ１３のアプリ共通メモリ領域１３ａにコピーモード用の画像データが格納されているときには、メモリ管理モジュール２１は、プリンタモードへの移行要求を却下する応答をアプリケーション１１、すなわち、プリンタアプリに返し（ステップＳ１１５）、ステップＳ１０２に戻る。
【００４５】
すなわち、メモリ管理モジュール２１は、図４に示すように、アプリケーション１１のコピーアプリからコピーモード移行要求があると、メモリ１３のアプリ共通メモリ領域１３ａの利用状況を判定し、該判定結果に基づくモード移行可否制御を行う。すなわち、メモリ管理モジュール２１は、現在のモードが未使用ではなく、コピーモードでもなく、メモリ１３のアプリ共通メモリ領域１３ａにプリンタアプリ用の画像データがあると、モード移行不可であると判定して、コピーモード移行要求を却下する。また、メモリ管理モジュール２１は、コピーモード移行要求があった場合、現在のモードが未使用であるか、未使用でなくても、現在のモードがコピーモードであるか、または、現在のモードがコピーモードではないが、メモリ１３のアプリ共通メモリ領域１３ａに画像データがないときには、利用モードをコピーモードにして、要求受諾をコピーアプリに返す。そして、このコピーモードであって、メモリ１３のアプリ共通メモリ領域１３ａにコピーモード用の画像データがある場合に、プリンタアプリからプリンタモード移行要求があると、プリンタモード移行要求を却下する。
【００４６】
また、メモリ管理モジュール２１は、図５に示すように、アプリケーション１１のプリンタアプリからプリンタモード移行要求があると、メモリ１３のアプリ共通メモリ領域１３ａの利用状況を判定し、該判定結果に基づくモード移行可否制御を行う。すなわち、メモリ管理モジュール２１は、現在のモードが未使用ではなく、プリンタモードでもなく、メモリ１３のアプリ共通メモリ領域１３ａにコピー用の画像データがあると、モード移行不可であると判定して、プリンタモード移行要求を却下する。また、メモリ管理モジュール２１は、プリンタモード移行要求があった場合、現在のモードが未使用であるか、未使用でなくても、現在のモードがプリンタモードであるか、または、現在のモードがプリンタモードではないが、メモリ１３のアプリ共通メモリ領域１３ａに画像データがないときには、利用モードをプリンタモードにして、要求受諾をプリンタアプリに返す。そして、このプリンタモードであって、メモリ１３に画像データがある場合に、コピーアプリからコピーモード移行要求があると、コピーモード移行要求を却下する。
【００４７】
このように、本実施例の複合装置１は、複数の画像処理モードを実行するアプリケーション１１の各画像処理モードを、該画像処理モード用の画像データをメモリ１３上に保存して実行する際に、該複数の画像処理モード用の画像データを保存するメモリ領域として、メモリ１３上の同じアプリ共通メモリ領域１３ａを切り替えて該各画像処理モードに割り当てている。
【００４８】
したがって、メモリ１３の搭載容量を増加させることなく、安価に高画質化することができる。
【００４９】
また、本実施例の複合装置１は、各画像処理のアプリが、その機能実行に際して、メモリ管理モジュール２１にアプリ共通メモリ領域１３ａの利用要求を発行し、メモリ管理モジュール２１が、アプリ共通メモリ領域１３ａの利用要求があると、アプリ共通メモリ領域１３ａの利用状況を判定し、該利用状況の判定結果に基づいて該利用要求に応じたアプリ共通メモリ領域１３ａの該画像処理アプリによる利用への切り替えの可否を制御している。
【００５０】
したがって、アプリ共通メモリ領域１３ａをその利用状況に応じて適切に各アプリに切り替えて割り当てることができ、アプリ共通メモリ領域１３ａの適切な利用を図ることができる。
【００５１】
さらに、本実施例の複合装置１は、メモリ管理モジュール２１が、複数の画像処理アプリのうちの１つの画像処理アプリからアプリ共通メモリ領域１３ａの利用要求があると、該アプリ共通メモリ領域１３ａを他の画像処理アプリに割り当てており、かつ、該アプリ共通メモリ領域１３ａに該他の画像処理アプリ用の画像データが格納されているか否かを判定し、該アプリ共通メモリ領域１３ａに他の画像処理アプリが割り当てられていて該他の画像処理アプリ用の画像データが格納されていると、該利用要求を拒否している。
【００５２】
したがって、アプリ共通メモリ領域１３ａをその利用状況に応じてより一層適切に各アプリに切り替えて割り当てることができ、アプリ共通メモリ領域１３ａのより一層適切な利用を図ることができる。
【００５３】
また、本実施例の複合装置１は、画像処理モードとして、プリンタモードとコピーモードを有し、メモリ管理モジュール１３ａが、該プリンタモードと該コピーモードに対してアプリ共通メモリ領域１３ａを切り替えて割り当てている。
【００５４】
したがって、プリンタモードとコピーモードでアプリ共通メモリ領域１３ａを切り替えて利用することができ、メモリ１３を有効利用して、増加させることなく、安価に高画質化することができる。
【００５５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５６】
本発明は、メモリの１つの領域を複数の機能で共有利用して画像処理する複写装置、複合装置等の画像処理装置及び画像処理方法に利用することができる。
【図面の簡単な説明】
【００５７】
【図１】本発明の一実施例を適用した複合装置の要部機能ブロック構成図。
【図２】図１のメモリのアプリ共通メモリ領域をコピーモード時のページメモリとプリンタモード時のバンドメモリとに切り替えて利用する場合の説明図。
【図３】図１のメモリ管理モジュールによるメモリ利用モード切り替え処理を示すフローチャート。
【図４】図１のメモリ管理モジュールによるコピーモード移行要求の可否判定の説明図。
【図５】図１のメモリ管理モジュールによるプリンタモード移行要求の可否判定の説明図。
【図６】従来の複合装置のコピーモードとプリンタモードで専用のメモリ領域を利用している状態の説明図。
【符号の説明】
【００５８】
１  複合装置
２  コントローラ
３  エンジン
４  エンジンＩ／Ｆ
１１  アプリケーション
１２  制御モジュール
１３  メモリ
１３ａ  アプリ共通メモリ領域
２１  メモリ管理モジュール
２２  エンジン制御モジュール
３１  スキャナエンジン
３２  プリンタエンジン
【図１】
2009038771.tif 000003
【図２】
2009038771.tif 000004
【図３】
2009038771.tif 000005
【図４】
2009038771.tif 000006
【図５】
2009038771.tif 000007
【図６】
2009038771.tif 000008